(57)【特許請求の範囲】
【請求項１】
表面側に軟質の樹脂材料で形成された軟質部を配置し、その内側にそれよりも硬質の樹脂材料で形成された硬質部を配置した二層構造の筐体を備え、前記筐体は所定の付け合わせ面を境にして少なくとも２つに分割される電気機器において、
前記硬質部の前記付け合わせ面側端部で、かつ前記軟質部との境界部近傍に形成され、前記軟質部を成形する際に軟質の樹脂材料が回り込むように、前記付け合わせ面よりも窪んだ回り込み部を有し、
前記回り込み部は、前記付け合わせ面よりも窪んだ段差部と、段差部からさらに窪んだ溝部と、前記硬質部と前記軟質部との境界面から前記軟質部側及び前記段差部から前記付け合わせ面側に突出した突出部を備え、それによって、前記回り込み部における軟質の樹脂材料の樹脂厚を薄くするようにしたことを特徴とする電気機器。
【請求項２】
前記付け合わせ面は、前記筐体のうちユーザの手で把持される箇所を含むように設けられていることを特徴とする請求項１に記載の電気機器。
【発明の詳細な説明】
【技術分野】
【０００１】
本発明は、例えば電動工具など、特定の面を境にして筐体が少なくとも２つに分割される電気機器に関する。
【背景技術】
【０００２】
電動工具などにおいては、滑り止め、握り心地の改善、落下時の衝撃吸収などを目的として、表面側に軟質の樹脂材料で形成された軟質部を配置し、その内側にそれよりも硬質の樹脂材料で形成された硬質部を配置した二層構造の筐体が用いられている（特許文献１参照）。
【０００３】
一方、電動工具などにおいては、筐体の成型の容易さ及び組み立ての容易さなどの観点から、その筐体をモータの出力軸及びグリップ部の中心線を含む面を境にして２つに分割できるように構成されている。従来の二層構造の筐体の付け合わせ面の構成を図４に示す。図４に示すように、筐体１００は、２つの部分、すなわち第１筐体１１０と第２筐体１２０に分割されており、付け合わせ面１１１及び１２１を接触させた状態でねじなどにより、第１筐体１１０と第２筐体１２０が結合される。以下、一方の第１筐体１１０に関してのみ説明するが、第２筐体に関しても同様である。
【０００４】
第１筐体１１０では、外側に位置する軟質部１１２と内側に位置する硬質部１１３の接着性を向上させるために、硬質部１１３の付け合わせ面１１１側端部で、かつ外側には、軟質部１１２を成形する際に軟質樹脂が回り込むように（いわゆるアンカー効果）、付け合わせ面１１１よりも窪んだ段差部１１４及び段差部１１４からさらに窪んだ溝部１１５による回り込み部が形成されている。
【０００５】
このように構成された第１筐体１１０及び第２筐体１２０を、インサート成形により一体的に成形すると、軟質部１１２の付け合わせ面、すなわち、図４中符号１１６で示す部分が、成形後の収縮によってひけが生じ、軟質部１１２の付け合わせ面が矢印Ｒで示す方向に倒れる。第２筐体１２０についても同様である。そのため、付け合わせ面１１１及び１２１を接触させた状態で、第１筐体１１０と第２筐体１２０を結合すると、第１筐体１１０と第２筐体１２０の付け合わせ面１１１及び１２１の間に隙間が生じ、その隙間から水滴や埃などが筐体１００の内部に侵入する可能性がある。また、筐体１００の外観部に隙間が生じるため、電気機器の外観品質を低下させる。
【発明の開示】
【発明が解決しようとする課題】
【０００６】
本発明は、上記従来例の問題を解決するためになされたものであり、軟質部と硬質部の二層構造に形成され、少なくとも２つに分割された筐体を有する電気機器において、筐体の分割された各部分の付け合わせ面における軟質部のひけを小さくし、筐体の付け合わせ面に生じする隙間を小さくすることを目的としている。
【課題を解決するための手段】
【０００７】
上記目的を達成するために請求項１の発明は、表面側に軟質の樹脂材料で形成された軟質部を配置し、その内側にそれよりも硬質の樹脂材料で形成された硬質部を配置した二層構造の筐体を備え、前記筐体は所定の付け合わせ面を境にして少なくとも２つに分割される電気機器において、
前記硬質部の前記付け合わせ面側端部で、かつ前記軟質部との境界部近傍に形成され、前記軟質部を成形する際に軟質の樹脂材料が回り込むように、前記付け合わせ面よりも窪んだ回り込み部を有し、
前記回り込み部は、前記付け合わせ面よりも窪んだ段差部と、段差部からさらに窪んだ溝部と、前記硬質部と前記軟質部との境界面から前記軟質部側及び前記段差部から前記付け合わせ面側に突出した突出部を備え、それによって、前記回り込み部における軟質の樹脂材料の樹脂厚を薄くするようにしたことを特徴とする。
【０００８】
請求項２の発明は、請求項１に記載の電気機器において、前記付け合わせ面は、前記筐体のうちユーザの手で把持される箇所を含むように設けられていることを特徴とする。
【発明の効果】
【００１０】
本発明によれば、軟質の樹脂材料により軟質部を成型する際、回り込み部においても、樹脂の収縮により付け合わせ面近傍の軟質部が付け合わせ面から後退し、ひけが生じようとする。ところが、軟質部が後退する方向に硬質の樹脂材料で形成された突出部が存在するため、突出部近傍の軟質部の樹脂厚が薄くなり、突出部を有さない従来例の構成に比べて、ひけの発生が低減される。その結果、軟質部の付け合わせ面の倒れ量が小さくなり、分割された複数の部分を結合して筐体を構成する際、付け合わせ面に生じる隙間が小さくなる。そして、その隙間から水滴や埃などが筐体の内部に侵入する可能性が低減されると共に、電気機器の外観品質を向上させることができる。
【発明を実施するための最良の形態】
【００１１】
本発明の一実施形態に係る電気機器について、図面を参照しつつ説明する。図１は、本発明に係る電動工具の一実施形態として、例えば電動ドライバの全体構成を示す。
【００１２】
電動工具１は、本体１０と、本体１０に着脱可能な二次電池を内蔵したバッテリーパック２０を備えている。本体１０は、例えばモータ及びモータの駆動力を所定の出力に変換（例えば減速）して出力軸１１に伝達する駆動機構が設けられた略円筒形の駆動部１２と、その中心軸が駆動部１２に対して所定の角度（例えば、７０度程度）をなすように形成され、モータを制御する制御部（図示せず）やトリガスイッチ１３が設けられたグリップ部１４と、グリップ部１４に対して駆動部１２とは反対側に設けられたバッテリーパック装着部１５などで構成されている。バッテリーパック装着部１５には、さらに、動作モード切替スイッチ１６などが設けられている。筐体１７の底部（バッテリーパック装着部）１５には、バッテリーパック２０が結合されている。
【００１３】
本体１０の全体、より具体的には、モータ、駆動機構及び制御部などを収容する筐体１７は、例えば樹脂成型品で形成されており、駆動機構の出力軸１１の中心線Ｌ及びグリップ部１４の中心線Ｍを含む面（付け合わせ面）で主として左右に２つの部分、すなわち第１筐体３０と第２筐体４０に分割されるように構成されている。以下の説明においては、主に第１筐体３０について説明するが、第２筐体４０についても同様である。
【００１４】
第１筐体３０（及び第２筐体４０）は、それぞれ表面側に軟質の樹脂材料で形成された軟質部３２を配置し、その内側にそれよりも硬質の樹脂材料で形成された硬質部３３を配置した二層構造を有している。軟質部３２は、第１筐体３０（及び第２筐体４０）のうち特定の部分、具体的にはユーザにより把持されるグリップ部１４及びその近傍、この電動工具１を床面などに載置した場合に、床面に触れる部分などに設けられている。第１筐体３０（及び第２筐体４０）の製造方法としては、硬質の樹脂材料を用いて硬質部３３を先に形成しておき、次に、この硬質部３３を金型にインサートして、軟質の樹脂材料を用いて軟質部３２を形成することが考えられる。
【００１５】
図２におけるＡ−Ａ断面部の構成を図３に示す。第１筐体３０（及び第２筐体４０）では、外側に位置する軟質部３２と内側に位置する硬質部３３の接着性を向上させるために、硬質部３３の付け合わせ面３１（４１）側端部で、かつ外側には、軟質部３２を成形する際に軟質樹脂が回り込むように（いわゆるアンカー効果）、付け合わせ面３１よりも窪んだ段差部３４と、段差部３４からさらに窪んだ溝部３５で回り込み部を形成している。また、硬質部３３と軟質部３２との境界面３７から軟質部３２側及び段差部３４から付け合わせ面３１側に突出した突出部３６が形成されている。
【００１６】
このような構成によれば、軟質の樹脂材料により軟質部３２を成型する際、樹脂材料の収縮により、付け合わせ面３１近傍の軟質部３２が付け合わせ面３１から後退し、ひけが生じようとする。ところが、軟質部３２が後退する方向に硬質の樹脂材料で形成された突出部３６が存在するため、突出部３６の近傍の軟質部３２の樹脂厚が薄くなり、突出部を有さない従来例の構成に比べて、ひけの発生が低減される。その結果、軟質部３２の付け合わせ面（図中符号３８で示す）の倒れ量が小さくなる。
【００１７】
このように構成された第１筐体３０と第２筐体４０を結合して筐体１７を構成すると付け合わせ面３１と４１の間に生じる隙間は非常に小さく、その隙間から水滴や埃などが筐体の内部に侵入する可能性が低減されると共に、電動工具（電気機器）１の外観品質を向上させることができる。また、付け合わせ面３１及び４１が、筐体１７のうちユーザの手で把持される箇所に設けられていたとしても、付け合わせ面３１と４１の間の隙間は非常に小さいので、皮膚の一部や爪などがこの隙間に挟まれる虞はなく、安全な電動工具を提供することができる。そして、軟質の樹脂材料による軟質部３２の存在により、滑り止め及び握り心地の改善による操作性の向上、落下時の衝撃吸収屋外部からの振動の吸収により内部機器（モータや制御回路）などの保護を図ることができる。
【００１８】
なお、本発明は、上記電動工具に限定されず、少なくとも筐体の一部分に軟質の樹脂材料で形成された軟質部と、それよりも硬質の樹脂材料で形成された硬質部による二重構造を有し、筐体が少なくとも２つの部分に分割されている電気機器、例えばシェーバやヘアドライヤーなど電気機器全般に応用することができる。
【図面の簡単な説明】
【００１９】
【図１】本発明の一実施形態に係る電気機器の具体例として、電動工具の外観構成を示す斜視図。
【図２】上記実施形態における電動工具の二層構造を有する筐体のうち２つに分割された第１筐体の構成を示す平面図。
【図３】上記実施形態における二層構造を有する筐体の付け合わせ面近傍の構成を示す図２における第１筐体のＡ−Ａ断面図。
【図４】従来の電気機器における二層構造を有する筐体の付け合わせ面近傍の構成を示す断面図。
【符号の説明】
【００２０】
１  電動工具
１７  筐体
３０  第１筐体
３１  突き合わせ面
３２  軟質部
３３  硬質部
３４  段差部
３５  溝部
３６  突出部
３７  軟質部と硬質部の境界面
４０  第２筐体
４２  突き合わせ面
【図１】
0004990172.tif 000002
【図２】
0004990172.tif 000003
【図３】
0004990172.tif 000004
【図４】
0004990172.tif 000005